(57)【要約】【課題】吸引ホースが階段等に接触することを防止できる電気掃除機を提供する。【解決手段】電気掃除機１は、本体６及び吸引ホース５を備える。本体６は、本体ケース１１、ホース接続部１２及びハンドル１３を備える。本体ケース１１の内部に、電動送風機１９が配置される。ホース接続部１２は、本体ケース１１の上側の部分に設けられる。ホース接続部１２に、吸引ホース５の端部５ａが接続される。ハンドル１３は、本体ケース１１に設けられる。ハンドル１３は、吸引ホース５の端部５ａの軸方向に沿って配置される。【選択図】図１
2016185218.tif 000002
【特許請求の範囲】
【請求項１】
本体と、
ごみを含む空気を前記本体に導くための吸引ホースと、
を備え、
前記本体は、
電動送風機が内部に配置された本体ケースと、
前記本体ケースの上側の部分に設けられ、前記吸引ホースの端部が接続されるホース接続部と、
前記本体ケースに設けられ、前記ホース接続部に接続された前記吸引ホースの前記端部の軸方向に沿って配置されたハンドルと、
を備えた電気掃除機。
【請求項２】
前記吸引ホースは、前記ホース接続部に接続された前記端部が前記ホース接続部から斜め上方に突出する請求項１に記載の電気掃除機。
【請求項３】
本体と、
ごみを含む空気を前記本体に導くための吸引ホースと、
を備え、
前記本体は、
電動送風機が内部に配置された本体ケースと、
前記本体ケースの上側の部分に設けられ、前記吸引ホースの端部が接続されるホース接続部と、
前記本体ケースに設けられたハンドルと、
を備え、
前記吸引ホースは、前記ホース接続部に接続された前記端部が前記ホース接続部から斜め上方に突出する電気掃除機。
【請求項４】
前記本体は、ごみを捕集する集塵ユニットを更に備え、
前記本体ケースは、前記集塵ユニットを着脱可能に収容する集塵ケースを備え、
前記ホース接続部は、前記集塵ケースに設けられた
請求項１から請求項３の何れか一項に記載の電気掃除機。
【請求項５】
前記本体は、前記集塵ユニットの下方に配置された回転体を更に備えた請求項４に記載の電気掃除機。
【請求項６】
前記集塵ユニットに、ごみを含む空気を旋回させる旋回室が形成され、
前記回転体は、前記旋回室の中心軸を鉛直方向に向けると少なくとも一部が前記本体ケースより下方に配置される請求項５に記載の電気掃除機。
【請求項７】
前記集塵ユニットに、ユニット流入口と前記ユニット流入口から流入したごみを含む空気を旋回させる旋回室とが形成され、
前記ホース接続部に、前記ユニット流入口に対向し、前記吸引ホースの前記端部が差し込まれる直線状の中空部が形成された
請求項４から請求項６の何れか一項に記載の電気掃除機。
【請求項８】
前記本体の重心は、前記本体を上方から見て前記ハンドルより前記ホース接続部に近い位置にある請求項２又は請求項３に記載の電気掃除機。
【発明の詳細な説明】
【技術分野】
【０００１】
この発明は、電気掃除機に関する。
【背景技術】
【０００２】
特許文献１に、キャニスター型の電気掃除機が記載されている。特許文献１に記載された電気掃除機は、本体及び吸引ホースを備える。吸引ホースは、本体の下端部に接続される。
【先行技術文献】
【特許文献】
【０００３】
【特許文献１】特開２０１４−３０６１２号公報
【発明の概要】
【発明が解決しようとする課題】
【０００４】
特許文献１に記載された電気掃除機を使用して階段を掃除する場合、使用者はハンドルを握って本体を持ち上げる。吸引ホースが本体の下端部に接続されているため、吸引ホースが階段に接触し易いといった問題があった。
【０００５】
この発明は、上述のような課題を解決するためになされた。この発明の目的は、吸引ホースが階段等に接触することを防止できる電気掃除機を提供することである。
【課題を解決するための手段】
【０００６】
この発明に係る電気掃除機は、本体と、ごみを含む空気を本体に導くための吸引ホースと、を備える。本体は、電動送風機が内部に配置された本体ケースと、本体ケースの上側の部分に設けられ、吸引ホースの端部が接続されるホース接続部と、本体ケースに設けられ、ホース接続部に接続された吸引ホースの端部の軸方向に沿って配置されたハンドルと、を備える。
【０００７】
この発明に係る電気掃除機は、本体と、ごみを含む空気を本体に導くための吸引ホースと、を備える。本体は、電動送風機が内部に配置された本体ケースと、本体ケースの上側の部分に設けられ、吸引ホースの端部が接続されるホース接続部と、本体ケースに設けられたハンドルと、を備える。吸引ホースは、ホース接続部に接続された端部がホース接続部から斜め上方に突出する。
【発明の効果】
【０００８】
この発明に係る電気掃除機であれば、吸引ホースが階段等に接触することを防止できる。
【図面の簡単な説明】
【０００９】
【図１】この発明の実施の形態１における電気掃除機を示す斜視図である。
【図２】電気掃除機の本体を示す側面図である。
【図３】電気掃除機の本体を示す平面図である。
【図４】電気掃除機の本体の断面を示す図である。
【図５】電気掃除機の本体の断面を示す図である。
【図６】図２のＣ方向から本体を見た図である。
【図７】集塵ユニットを集塵ケースから取り外す途中の状態を示す図である。
【図８】集塵ユニットが集塵ケースから取り外された状態を示す図である。
【図９】使用者がハンドルを握って本体を持ち上げた状態を示す図である。
【図１０】電気掃除機の本体の他の構成例を示す側面図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における電気掃除機１を示す斜視図である。図１に示す電気掃除機１は、キャニスター型である。電気掃除機１は、例えば吸引ヘッド２、延長パイプ３、接続パイプ４、吸引ホース５及び本体６を備える。
【００１２】
吸引ヘッド２に吸込み口が形成される。吸込み口は、吸引ヘッド２に形成された下向きの開口である。吸引ヘッド２は、中央部に接続管を備える。
【００１３】
延長パイプ３は、一方の端部が吸引ヘッド２の接続管に接続される。吸引ヘッド２は、延長パイプ３に着脱可能である。延長パイプ３は伸縮可能である。延長パイプ３の長さは、無段階或いは多段階で調節できる。
【００１４】
接続パイプ４は、一方の端部が延長パイプ３の他方の端部に接続される。延長パイプ３は、接続パイプ４に着脱可能である。接続パイプ４は、円筒形状の部材とこの部材に設けられた操作ハンドル７とを備える。操作ハンドル７は、吸引ヘッド２を動かすために掃除をする人が持つ部分である。操作ハンドル７に操作スイッチ８が設けられる。例えば、操作スイッチ８は、電気掃除機１の運転を制御するための複数のボタンを備える。
【００１５】
吸引ホース５は、一方の端部が接続パイプ４の他方の端部に接続される。吸引ホース５は、他方の端部５ａが本体６に接続される。吸引ホース５は、端部５ａ以外の部分が蛇腹形状であり、任意の方向に曲がる。吸引ホース５は、本体６に着脱可能である。吸引ホース５の端部５ａは、例えば硬質の複数のプラスチック部材によって円筒状に形成される。
【００１６】
吸引ヘッド２、延長パイプ３、接続パイプ４及び吸引ホース５は、ごみを含む空気（含塵空気）を外部から本体６に導くための風路を形成する。
【００１７】
図２は、電気掃除機１の本体６を示す側面図である。図３は、電気掃除機１の本体６を示す平面図である。本体６は、ごみを含む空気からごみを分離する機能を有する。また、本体６は、分離したごみを捕集する機能を有する。本体６は、例えば、吸引ユニット９と集塵ユニット１０とを備える。集塵ユニット１０は、吸引ユニット９に着脱可能である。
【００１８】
図４及び図５は、電気掃除機１の本体６の断面を示す図である。図４は、図３のＡ−Ａ断面を示す。図５は、図２のＢ−Ｂ断面を示す。以下の説明では、図２に示す状態を基準に、上下方向を特定する。前後方向に関しては、図２の左側を前とする。
【００１９】
吸引ユニット９は、本体ケース１１、ホース接続部１２、ハンドル１３、車輪１４、前車輪１５及び電源コード１６を備える。
【００２０】
本体ケース１１は、例えば機器ケース１７及び集塵ケース１８を備える。機器ケース１７の内部に、種々の機器が設けられる。例えば、吸引ユニット９は、機器ケース１７の内部に電動送風機１９、フィルタ２０及び２１、コードリール並びに制御装置を備える。また、機器ケース１７に、排気風路２２の要部が形成される。排気風路２２は、集塵ユニット１０でごみが取り除かれた空気を排気口２３に導くための風路である。電動送風機１９、フィルタ２０及び２１は、排気風路２２に配置される。
【００２１】
集塵ケース１８は、機器ケース１７に設けられる。集塵ケース１８は、機器ケース１７の前側に配置される。集塵ケース１８は、例えば一方の端部が塞がれた円筒形状である。集塵ケース１８は、中心軸が斜めに配置され、斜め上方に開口する。集塵ケース１８は、上部より下部が前側に突出する。集塵ケース１８に、集塵ユニット１０が収容される。集塵ユニット１０は、集塵ケース１８に着脱可能である。
【００２２】
ホース接続部１２に、吸引ホース５の端部５ａが接続される。ホース接続部１２は、本体ケース１１の上側の部分に設けられる。例えば、ホース接続部１２は、本体ケース１１の半分の高さより上方に配置される。ホース接続部１２は、本体ケース１１の前側の部分に設けられる。本実施の形態で示す例では、ホース接続部１２は、集塵ケース１８の上部に設けられる。ホース接続部１２は、集塵ケース１８の周壁から前側に突出するように配置される。
【００２３】
ホース接続部１２は、例えば円筒形状或いは四角筒形状である。ホース接続部１２に、吸引ホース５の端部５ａが差し込まれる直線状の中空部１２ａが形成される。中空部１２ａの中心軸は、図３に示すように、本体６を上方から見て前後方向を向く。また、中空部１２ａの中心軸は、図２及び図４に示すように、本体６を側方から見て前側が高くなるように斜めに傾く。本実施の形態に示す例では、ホース接続部１２の中心軸は中空部１２ａの中心軸と同じである。吸引ホース５がホース接続部１２に接続されると、端部５ａはホース接続部１２から斜め上方に突出する。なお、本実施の形態に示す例では、中空部１２ａの中心軸と集塵ケース１８の中心軸とのなす角は約９０度である。
【００２４】
ハンドル１３は、本体６を持ち上げる時に使用者が持つ部分である。例えば、使用者は、階段等を掃除する時にハンドル１３を持って本体６を持ち上げる。ハンドル１３は、本体ケース１１に設けられる。例えば、ハンドル１３は、本体ケース１１の上方に配置される。本実施の形態で示す例では、ハンドル１３は、機器ケース１７の上部に設けられる。ハンドル１３は、機器ケース１７の上面から突出するように配置される。
【００２５】
ハンドル１３は、使用者が握る把持部１３ａが棒状である。本実施の形態では、把持部１３ａが一直線状である例を示す。把持部１３ａは、僅かに湾曲していても良い。ハンドル１３は、例えば吸引ホース５がホース接続部１２に接続された状態において把持部１３ａが端部５ａの軸方向に沿うように配置される。本実施の形態に示す例では、把持部１３ａは中空部１２ａの中心軸とほぼ平行である。図６は、図２のＣ方向から本体６を見た図である。把持部１３ａは、本体６を上方から見て中空部１２ａの中心軸に対して一直線状に配置される。
【００２６】
車輪１４は、本体ケース１１に回転可能に設けられる。車輪１４は、例えば本体ケース１１の後側の部分に設けられる。本実施の形態で示す例では、車輪１４は、機器ケース１７に回転可能に設けられる。車輪１４は、機器ケース１７の両側に配置される。
【００２７】
前車輪１５は、本体ケース１１に回転可能に設けられる。前車輪１５は、例えば本体ケース１１の前側の部分に設けられる。本実施の形態で示す例では、前車輪１５は、集塵ケース１８の下方に配置される。集塵ユニット１０が集塵ケース１８に取り付けられた状態では、前車輪１５は、集塵ユニット１０の下方に配置される。
【００２８】
電源コード１６は、機器ケース１７の内部に設けられたコードリールに巻き付けられる。電源コード１６が外部の電源に接続されると、電動送風機１９等の機器が通電する。電動送風機１９は、電気掃除機１に形成された風路に気流を発生させる。電気掃除機１に形成された風路には、例えば、ごみを含む空気を外部から本体６に導くための風路、集塵ユニット１０に形成された風路及び排気風路２２が含まれる。電動送風機１９は、電源コード１６が電源に接続されると、操作スイッチ８に対する操作に応じて予め設定された吸引動作を行う。
【００２９】
電動送風機１９が吸引動作を行うと、電気掃除機１に形成された風路に気流が発生する。これにより、吸引ヘッド２の吸込み口から床面上のごみが空気と一緒に吸い込まれる。吸引ヘッド２に吸い込まれたごみを含む空気は、延長パイプ３、接続パイプ４及び吸引ホース５を通って本体６の内部に流入する。
【００３０】
本体６の内部に流入したごみを含む空気は、ホース接続部１２の中空部１２ａを通って集塵ユニット１０に送られる。吸引ホース５がホース接続部１２に差し込まれた際に端部５ａが集塵ユニット１０に達する場合は、ごみを含む空気は、吸引ホース５から集塵ユニット１０に直接送られる。集塵ユニット１０の内部で発生する気流については後述する。集塵ユニット１０から流出した空気は、排気風路２２に流入し、フィルタ２０、電動送風機１９及びフィルタ２１を通過する。フィルタ２１を通過した空気は、排気風路２２を更に進み、排気口２３から本体６の外部に放出される。例えば、フィルタ２１を通過した空気は、排気口２３から掃除中の部屋に戻される。
【００３１】
集塵ユニット１０は、ごみを含む空気からごみを分離する。集塵ユニット１０は、ごみを含む空気を高速で旋回させることにより、遠心力によってごみを分離する。即ち、集塵ユニット１０は、サイクロン分離機能を有する。集塵ユニット１０は、分離したごみを捕集し、一時的に溜めておく。排気風路２２には、集塵ユニット１０から清浄な空気が流入する。
【００３２】
集塵ユニット１０は、全体として円柱形状である。集塵ユニット１０は、集塵ケース１８に上方から挿入される。図７は、集塵ユニット１０を集塵ケース１８から取り外す途中の状態を示す図である。図８は、集塵ユニット１０が集塵ケース１８から取り外された状態を示す図である。例えば、予め定められた操作を行いながら集塵ユニット１０を上方に引き抜くことにより、集塵ユニット１０を集塵ケース１８から取り外すことができる。
【００３３】
集塵ユニット１０が集塵ケース１８に取り付けられた状態では、集塵ユニット１０の中心軸は、集塵ケース１８の中心軸と同様に斜めに配置される。即ち、集塵ユニット１０は、上部より下部が前側に突出する。
【００３４】
集塵ユニット１０は、例えば複数の成型品を備える。複数の成型品が適切に配置されることにより、集塵ユニット１０に、旋回室２４、流入風路２５、０次集塵室２６、一次集塵室２７及び流出風路２８が形成される。
【００３５】
旋回室２４は、ごみを含む空気を旋回させるための空間である。本実施の形態で示す例では、旋回室２４の上部は円柱形状である。旋回室２４の下部は、下方に向かうに従って径が小さくなる円錐台形状である。旋回室２４を形成する側壁は、旋回室２４の中心軸に直交する方向の断面が円形状である。旋回室２４の中心軸は、集塵ケース１８の中心軸に対してほぼ平行である。旋回室２４の中心軸は、集塵ケース１８の中心軸と同様に斜めに配置される。
【００３６】
旋回室２４を形成する側壁の上部に、流入口２９が形成される。流入風路２５は、流入口２９を介して旋回室２４に通じる。流入風路２５は、吸引ホース５等を通ってきたごみを含む空気を旋回室２４に導くための風路である。流入風路２５は、集塵ユニット１０の周壁で開口する。この開口が集塵ユニット１０のユニット流入口３０である。ユニット流入口３０は、集塵ユニット１０にごみを含む空気を取り込むための開口である。吸引ホース５等を通ってきたごみを含む空気は、ユニット流入口３０から流入風路２５に流入する。流入風路２５に流入したごみを含む空気は、流入風路２５を通過して流入口２９から旋回室２４に流入する。集塵ユニット１０が集塵ケース１８に取り付けられると、ユニット流入口３０は、ホース接続部１２の中空部１２ａに対向する。
【００３７】
旋回室２４を形成する側壁に、０次開口３１が形成される。０次開口３１は、流入口２９より下流に形成される。０次集塵室２６は、０次開口３１を介して旋回室２４に通じる。０次集塵室２６は、全体として円筒形状である。０次集塵室２６は、旋回室２４の周囲を囲むように形成される。
【００３８】
旋回室２４を形成する側壁の下端によって一次開口３２が形成される。一次開口３２は、０次開口３１より下流に形成される。一次集塵室２７は、一次開口３２を介して旋回室２４に通じる。一次集塵室２７は、旋回室２４の下端部の周囲を囲むように形成される。一次集塵室２７は、０次集塵室２６によって周囲が囲まれる。
【００３９】
旋回室２４に突出する流出管に、流出口３３が形成される。本実施の形態では、多数の微細孔によって流出口３３を形成する例を示す。流出風路２８は、流出口３３を介して旋回室２４に通じる。流出風路２８は、旋回室２４の空気を集塵ユニット１０の外に流出させるための風路である。流出風路２８は、集塵ユニット１０の周壁で開口する。この開口が集塵ユニット１０のユニット流出口３４である。ユニット流出口３４は、集塵ユニット１０から空気を流出させるための開口である。旋回室２４の空気は、流出口３３から流出風路２８に流入する。流出風路２８に流入した空気は、流出風路２８を通過してユニット流出口３４から集塵ユニット１０の外に流出する。集塵ユニット１０が集塵ケース１８に取り付けられると、ユニット流出口３４は、排気風路２２に対向する。
【００４０】
次に、集塵ユニット１０の機能について具体的に説明する。
電動送風機１９が吸引動作を開始すると、上述したように、吸引ヘッド２に吸い込まれたごみを含む空気は、ユニット流入口３０を通過して流入風路２５に流入する。流入風路２５に流入したごみを含む空気は、流入風路２５を通過し、流入口２９から旋回室２４に流入する。この時、ごみを含む空気は、旋回室２４を形成する側壁の接線方向から旋回室２４に流入する。
【００４１】
本実施の形態に示す例では、旋回室２４の中心軸が集塵ユニット１０の中心軸からずれている。このため、流入風路２５を大きく曲げる必要がなく、騒音の発生を抑制できる。
【００４２】
流入口２９から旋回室２４に流入した空気は、旋回室２４で予め設定された方向に回る。これにより、旋回室２４で旋回気流が形成される。この旋回気流は、中心軸近傍の強制渦領域とその外側の自由渦領域とを形成しながら、その経路構造と重力とによって下向きに流れていく。
【００４３】
上記旋回気流に含まれるごみには、遠心力が作用する。例えば繊維ごみ及び毛髪といった比較的嵩の大きなごみαは、作用する遠心力によって旋回室２４を形成する側壁に押し付けられながら落下する。このため、ごみαは、０次開口３１の高さに達すると０次開口３１を通過する。０次開口３１を通過したごみαは、０次集塵室２６に送られる。これにより、ごみαが０次集塵室２６に落下して捕集される。
【００４４】
０次開口３１から０次集塵室２６に進入しなかったごみは、旋回しながら更に下方に移動する。砂ごみ及び細かい繊維ごみといった比較的嵩の小さなごみβは、一次開口３２を通過する。これにより、ごみβは、一次集塵室２７に落下して捕集される。
【００４５】
上記旋回気流は、旋回室２４の最下部に達するとその進行方向を上向きに変える。これにより、旋回室２４の中心軸に沿って上昇気流が形成される。この上昇気流を形成する空気からはごみα及びごみβが除去されている。ごみα及びごみβが取り除かれた清浄空気は、流出口３３を通過して旋回室２４から流出する。流出口３３を通過した空気は、流出風路２８を通過してユニット流出口３４に達する。そして、清浄空気は、ユニット流出口３４を通過して排気風路２２に送られる。
【００４６】
上記構成の電気掃除機１を使用して階段等を掃除する場合、使用者は、ハンドル１３を握って本体６を持ち上げる。図９は、使用者がハンドル１３を握って本体６を持ち上げた状態を示す図である。本実施の形態に示す例では、本体６の重心Ｇは、本体６を上方から見てハンドル１３よりホース接続部１２に近い位置にある。図９に示す状態では、ハンドル１３の把持部１３ａがほぼ水平になる。集塵ユニット１０は、中心軸が鉛直方向を向く。また、ホース接続部１２がほぼ水平になる。このため、吸引ホース５の端部５ａがホース接続部１２から水平方向に突出する。しかし、ホース接続部１２が本体ケース１１の上側の部分に設けられているため、吸引ホース５の端部５ａは階段から離れた位置に配置される。これにより、吸引ホース５が階段に接触することを防止できる。
【００４７】
本体６を持ち上げながら掃除する場合、吸引ホース５が引っ張られるとハンドル１３を持つ腕に図９の矢印Ｆに示す方向の力が作用する。本実施の形態に示す電気掃除機１では、ホース接続部１２が本体ケース１１の上側の部分に設けられている。このため、ハンドル１３を持つ腕に掛かる負荷を低減できる。
【００４８】
以下に、電気掃除機１が採用可能な他の構成について説明する。
図１０は、電気掃除機１の本体６の他の構成例を示す側面図である。図１０に示す本体６は、前車輪１５の替わりに回転ボール３５を備える。図１０に示す本体６の他の構成は、図２から図９に示す本体６の構成と同様である。
【００４９】
回転ボール３５及び前車輪１５は、本体ケース１１の前側の部分に備えられる回転体の例である。回転ボール３５は、本体ケース１１に回転可能に設けられる。図１０に示す例では、回転ボール３５は、集塵ケース１８の下方に配置される。集塵ユニット１０が集塵ケース１８に取り付けられた状態では、回転ボール３５は、集塵ユニット１０の下方に配置される。
【００５０】
図１０は、回転ボール３５が集塵ケース１８の中心軸の延長線上に配置される例を示す。回転ボール３５は、使用者がハンドル１３を握って本体６を持ち上げた際に本体ケース１１より下方に突出する。即ち、回転ボール３５は、集塵ユニット１０の中心軸が鉛直方向に向けられると、少なくとも一部が本体ケース１１より下方に配置される。なお、旋回室２４の中心軸、０次集塵室２６の中心軸及び一次集塵室２７の中心軸は、集塵ユニット１０の中心軸に対して平行である。
【００５１】
上記構成の電気掃除機１では、使用者が階段の掃除を終えて本体６を降ろすと、回転ボール３５が最初に床に接触する。回転ボール３５が床に接触してからそのまま持ち手を下げれば、車輪１４が床に接触する。このため、本体６を降ろす時に本体ケース１１が傷ついたり床が傷ついたりすることを防止できる。また、持ち上げた本体６を容易に降ろすことできる。
【００５２】
なお、回転ボール３５或いは前車輪１５が集塵ケース１８の下方に配置されていれば、本体６を降ろす際に本体６を僅かに傾ければ回転ボール３５或いは前車輪１５を最初に床に接触させることができる。このため、図２から図９に示す本体６の構成であっても、一定の効果は期待できる。
【００５３】
本実施の形態では、吸引ホース５の端部５ａがホース接続部１２から斜め上方に突出する例について説明した。端部５ａがホース接続部１２から水平方向に突出しても良い。但し、本実施の形態で示す例のように、本体６の重心Ｇがハンドル１３よりホース接続部１２に近い位置にある場合は、端部５ａを斜め上方に突出させることが好適である。
【００５４】
本実施の形態では、ホース接続部１２に直線状の中空部１２ａが形成される例について説明した。中空部１２ａの形状は直線状に限定されない。但し、本実施の形態で示す例のように中空部１２ａが直線状であれば、電気掃除機１内の風路を短くできる。特に、本体６内の集塵ユニット１０までの風路を短くできる。また、電気掃除機１から発生する騒音を低減できる。
【００５５】
本実施の形態では、本体６が所謂縦ハンドルを備える例について説明した。本体６は、特許文献１に示す電気掃除機のような横ハンドルを備えても良い。但し、縦ハンドルの方が本体６を持ち上げながら掃除を行う時に掛かる腕への負担が少ない。小型の電気掃除機には縦ハンドルが好適である。
【００５６】
本実施の形態では、電気掃除機１がサイクロン分離方式の集塵部を備える例について説明した。電気掃除機１は、紙パック式の集塵部を備えても良い。
【符号の説明】
【００５７】
１  電気掃除機、  ２  吸引ヘッド、  ３  延長パイプ、  ４  接続パイプ、  ５  吸引ホース、  ５ａ  端部、  ６  本体、  ７  操作ハンドル、  ８  操作スイッチ、  ９  吸引ユニット、  １０  集塵ユニット、  １１  本体ケース、  １２  ホース接続部、  １２ａ  中空部、  １３  ハンドル、  １３ａ  把持部、  １４  車輪、  １５  前車輪、  １６  電源コード、  １７  機器ケース、  １８  集塵ケース、  １９  電動送風機、  ２０  フィルタ、  ２１  フィルタ、  ２２  排気風路、  ２３  排気口、  ２４  旋回室、  ２５  流入風路、  ２６  ０次集塵室、  ２７  一次集塵室、  ２８  流出風路、  ２９  流入口、  ３０  ユニット流入口、  ３１  ０次開口、  ３２  一次開口、  ３３  流出口、  ３４  ユニット流出口、  ３５  回転ボール
【図１】
2016185218.tif 000003
【図２】
2016185218.tif 000004
【図３】
2016185218.tif 000005
【図４】
2016185218.tif 000006
【図５】
2016185218.tif 000007
【図６】
2016185218.tif 000008
【図７】
2016185218.tif 000009
【図８】
2016185218.tif 000010
【図９】
2016185218.tif 000011
【図１０】
2016185218.tif 000012